(57)【要約】【課題】筒体又は格子状の枠を地中に掘った地中穴に埋設することで、動物の脚を捕捉して安全に収穫する。【解決手段】筒体１を複数本束ねてその側面に留め板２ａ，２ｂを添えてボルト３ａ，３ｂで締結し一定の直径を有する開口部と一定の長さを有する筒体１又は鉄筋棒を組み合わせた格子状の枠を、地中穴５の中に埋設して、雨水や雪解け水の浸透性がよい薄膜シート６、細土８、落ち葉７などで警戒されないように平面を覆い、両側に障害物を置いて中間に動物の好む餌を置き動物を仕掛けの上に誘引して、前記筒体又は格子状枠により動物の脚を捕捉する動物捕獲装置。【選択図】図１
2006211961.tif 000002
【特許請求の範囲】
【請求項１】
一定の直径を有する開口部と一定の長さを有する筒体を平面と底面で筒体の開口部が一致するように複数の筒体の側面に留め板２ａ，２ｂを添えてボルト３ａ，３ｂで締結し地中穴に埋設した筒体の平面の開口部に動物の脚を捕捉する動物捕獲装置。
【請求項２】
請求項１に記載の筒体は１０〜１５センチメートル程度の一定の直径を有する開口部と長さが７０〜８０センチメートルの一定の長さを有するエスロンパイプ製であって、複数の上部開口部を平面に並設して地中穴の中に埋設して、前記開口部の平面を水の浸透性がよい薄膜シート６で覆い、その上に細土、落ち葉などを置いてそこを通る動物に怪しまれないように仕掛け、捕獲装置の間に動物の好む餌を置いて動物をこの仕掛けの上に誘引して、前記地中穴に埋設した筒体を用いて動物の脚を捕捉する動物捕獲装置。
【請求項３】
請求項１に記載の一定の直径を有する開口部と一定の長さを有する筒体を平面と底面で筒体の開口部が一致するように複数本の筒体の側面を束ねる留め板として一定の幅を有するベルトをボルトで締結することを特徴とする動物捕獲装置。
【請求項４】
請求項１乃至３のいずれかに記載の筒体は円筒形又は角筒形であることを特徴とする動物捕獲装置。
【請求項５】
棒状の鉄筋１１ａ，１１ｂを組み合わせて格子状とし深さ７０〜１００センチメートル程度の箱枠又は枠体の上部に取付けることを特徴とする動物捕獲装置。
【請求項６】
請求項５に記載の箱枠又は枠体には上部縁に沿って、格子状に並べる棒状の鉄筋１１ａ，１１ｂを通す穴を一定の間隔で設け鉄筋を組み立て解体することが容易にできるようにしたことを特徴とする動物捕獲装置。
【発明の詳細な説明】
【技術分野】
【０００１】
本発明は、土中に掘られた穴に埋めた多数の筒体（円筒形並びに角筒形）又は格子状の鉄筋製枠によって脚が長い有蹄類動物の脚をそれぞれの開口部により捕捉して動物が容易に動けないようにして逃げ出すことができない捕獲後に安全に収穫ができる動物捕獲装置に関するものである。
【背景技術】
【０００２】
従来の動物の脚を捕捉して捕獲する罠は、蹄を有する脚の1本をワイヤー若しくはロープのわさを用いて足首を締めて捕捉して捕獲するため、脚を捕捉しているワイヤー若しくはロープを半径として円内を動き回る範囲が広くあるものであった。例えば、特許文献１〜５は、いずれも適宜な長さを有するワイヤー若しくはロープの先端にわさを備えており、そのわさに動物が脚を入れるとスプリングを作動させて足首を縛る。スプリングを作動させる装置として動物の足で板を踏み、引き金が外れてワイヤー又はロープに連結されたスプリングを作動してわさが足首を締める構造を備えているものが多い。
【０００３】
しかし、これらの捕獲器の構造は、1本の脚をわさで捕捉するので動物は一本のワイヤー又はロープで繋がれている範囲を動き回り、それを収穫しようとするときに動物の牙或いは角で事故が発生する危険性があるという欠点があった。
【０００４】
野生の動物を捕獲する用途において、この欠点は狩猟の安全性に関して大きな障害である。具体的には、長いワイヤー若しくはロープのためにわさに片脚を捕捉されている動物が動き回る範囲内に、人や猟犬が入るとか、ワイヤー若しくはロープが切れるとか、足首を締めているわさが外れて捕獲した動物が逃げるような事故が発生する問題があった。
【０００５】
この改善策として、本発明は動物の脚が入っても抜けなくなるような筒体又は格子状の枠により脚を捕捉し動物が動き回らないように捕獲時の安全性を確保して安全に収穫をすることができる動物捕獲装置を提案するものである。
【特許文献１】特開２００３−２８４４８０号公報
【特許文献２】特開２００３−０９２９７４号公報
【特許文献３】特開２００２−２６２７５２号公報
【特許文献４】特開２００１−０１７０５９号公報
【特許文献５】特開平１１−１２７７６０号公報
【発明の開示】
【発明が解決しようとする課題】
【０００６】
解決しようとする問題点は、猪や鹿のように脚に蹄を有し、長い脚を有する動物をワイヤーやロープで脚の捕捉により動物を捕獲する場合に、動物は半径が長いワイヤーやロープの長さ分の円内を動き回って危険であったり、動物の脚の一本にわさが浅くかかる場合があって捕獲を安全にできない点である。
【課題を解決するための手段】
【０００７】
本発明は、地中に掘った穴の中に複数の筒体又は枠の開口部が上になるように配置して、その表面を水の浸透性がよい薄膜シートで覆って、その上に細土や植物の枯葉を置いて警戒心を起こさせないようにし、地中に埋めた前記の筒体又は枠の上に動物を餌と障害物で誘引して長い脚を捕捉可能とするため、動物が動き回らずに安全に捕獲することを最も主要な特徴とする。
【発明の効果】
【０００８】
本発明の動物捕獲装置は、掘った穴の中に外からは見えないように束ねた筒体又は枠を仕掛けるため、動物が餌に誘引されて入って来てもその仕掛けを警戒することなく前脚を入れ、残りの２本の後脚で立ち上がらない限り、動物の脚が完全に捕捉されるので動物は動き回らず安全であるという利点がある。
【発明を実施するための最良の形態】
【０００９】
実施例に示したように本発明の実施形態により動物の前脚を捕捉することにより、動物は前脚が自由にならないので後ろ脚で動き回ろうとすると、その後ろ脚も筒体又は枠の開口部に捕捉されて、動物を動き回らせないで安全に捕獲するという目的を実現した。この方法で動物の脚を捕捉すると、動物は脚で動き回る自由が利かないので身動きできずうずくまるのみで捕獲した動物を収穫する際の危険性を最小限にして安全に取り入れることができる。
【実施例１】
【００１０】
図１は、本発明装置の１実施例の斜視図であって、図２は、本発明装置を地中に掘った穴に仕掛けた斜視図、  図３は、穴の断面図、  図６は、土中の穴に仕掛けた動物捕獲装置（実施例１）の実施方法を示した平面図を示す。１は、  筒体、  ２ａ，２ｂは、  複数筒体の前後を束ねる留め板、  ３ａ，３ｂは、    前後の留め板を締めるボルト、  ４は、    ボルト締結ナット、  ５は、    地中に掘られた穴、  ６は、  筒体の平面に敷く覆い薄膜シート、  ７は、    細土、  ８は、    落ち葉等、  ９は、穴内に設ける水抜き穴、  １２は、  餌、  １３は、動物を動物捕獲装置（実施例１）の上に導くために両側に置いた障害物である。
【００１１】
筒体１は、材料をエスロンパイプで１０〜１５センチメートル程度の一定の直径を有する開口部と長さが７０〜８０センチメートルの一定の長さを有するものである。筒体１は合成樹脂製のエスロンパイプが有利であるが、金属製であってもよい。  筒体１を平面と底面で筒体の開口部が一致するように複数本束ねて、その側面に留め板２ａ，２ｂを添えてボルト３ａ，３ｂで前後の留め板を挟み、その中に複数の筒体１をボルト締結ナット４で束ねる。
【００１２】
上記の筒体１を束ねて穴５に設置する方法において、筒体１を束ねて締結する前後の留め板２ａ，２ｂはこれに限るものではなく、広幅のベルトで筒体の側面を束ねボルトで締結してもよい。
【００１３】
筒体の開口部の平面に覆う薄膜シート６は、雨水や雪解け水の浸透性のよいものが望ましく、捕獲時に捕獲する動物の体重により脚の蹄で突き破られるものである。薄膜シートの材質は、水の浸透性がよくて破れにくい紙製が望ましく又はナイロン製であってもよい。
【実施例２】
【００１４】
本発明の動物捕獲装置の実施例１において、筒体１を図１，２に示す円筒形にしたが、実施例２は、筒体１を角筒形（図示せず。）にしたものである。従って、実施例１及び２において、筒体１は円筒形（実施例１）若しくは角筒形（実施例２）である。
【実施例３】
【００１５】
図４は、本発明の動物捕獲装置の実施例３の平面図を示し、図５は、実施例３の断面図、図７は、実施例３の動物捕獲装置の実施方法を示しており、動物捕獲装置の箱枠１０を掘られた地中の穴に５０〜１００センチメートルの間隔を置いて並べ、その中間に餌１２を設置する。１０は、  箱枠、  １１ａ，１１ｂは、  箱枠に格子状に取付ける鉄筋棒である。この実施例３は、格子状に棒状の鉄筋１１ａ，１１ｂを組み合わせて深さ７０〜１００センチメートル程度の箱枠１０の上部に取付ける。箱枠１０には上部縁に沿って、格子状に並べる鉄筋１１ａ，１１ｂを通す穴を一定の間隔で設けておいて、組み立て解体が容易にできるようにしておくと動物捕獲装置を穴に仕掛ける設置と運搬、収納も容易である。箱枠の底部に排水の穴を設けて軽量化を兼ねる。格子状に並べる鉄筋１１ａ，１１ｂは、箱枠又は箱状に骨組みされた枠体に設けてもよい。  
本発明の実施例３は、動物捕獲装置の実施において、箱枠又は枠体の上部に格子状に並べる鉄筋１１ａ，ｂを約１０センチメートル平方の格子状に組み立て、この格子状の鉄筋の枠の中に動物の脚を捕捉して捕獲しようとするものである。
【００１６】
穴５は、捕獲装置を設置する地中に掘られる。穴の底面には地質により排水をする水抜き穴９を設けて排水をよくする。
【００１７】
本発明装置の使用方法について説明すれば地中穴５の中には、その底部に水抜き穴を開けて、雨や雪解け水をそこに溜まらないように排水に注意して、そこに実施例１〜３いずれかの捕獲装置を間に５０〜１００センチメートルの間隔を離して仕掛ける。水分の浸透性がよい紙製又はナイロン製の薄膜シート６で動物捕獲装置の平面を覆い、その上に細土８、落ち葉７や枯れ草などを置いてそこを通る動物に怪しまれないようにカムフラージュする。土中穴に埋めた捕獲装置と捕獲装置の間隔は５０〜１００センチメートルの幅を開け、その間に餌を置く。餌は捕獲目的の動物が好むものである。猪の場合には、雑食性であるのでイモ類や、鶏の死骸、魚の残渣など動物性のものであってもよい。鹿の場合は植物性の果物や根菜類などが考えられる。
【００１８】
この動物捕獲方法は、実施例として示す捕獲装置を穴の中に仕掛け、動物の好む餌１２を中に置いて動物をこの仕掛けの上に誘引するための障害物１３を設けて、筒体又は格子状に組み合わせた枠で動物の脚を捕捉することができるようにする。円筒形又は角筒形の筒体１の開口部或いは格子状の枠の中に脚を入れた動物は動き回ることができず、この動物捕獲装置は動物を取り入れる際に捕獲した動物が動き回って逃げたり、逃げる際に牙や角で人や動物を襲う危険性がない安全な捕獲方法である。
【００１９】
本発明装置は、長い脚に蹄を備え、牙を有する動物を動き回らせることなく安全に捕獲できるために、鹿、猪の捕獲に適している捕獲装置である。
【産業上の利用可能性】
【００２０】
土中に掘られた穴に動物捕獲装置を埋めて、落ち葉などで怪しまれないように覆い動物が警戒しないようにして、その中に餌を置き動物の好む餌を求めて仕掛けた捕獲装置の上を通るようにその両側に障害物を設けて動物を誘引することによって容易に脚の捕捉ができる。猪や鹿など有蹄類の動物を捕獲することができる本発明装置は、組み立てたり、解体することができる。動物捕獲装置を各部品にばらして運搬したり、組み立て仕掛けることも、収納施設に格納することも容易である。
【図面の簡単な説明】
【００２１】
【図１】動物捕獲装置の実施方法を示した斜視図である。（実施例１）
【図２】土中の穴に仕掛けた動物捕獲装置の実施方法を示した斜視図である。（実施例１）
【図３】土中の穴に仕掛けた動物捕獲装置の実施方法を示した断面図である。（実施例１）
【図４】動物捕獲装置の実施方法を示した平面図である。（実施例３）
【図５】動物捕獲装置の実施方法を示した断面図である。（実施例３）
【図６】土中の穴に仕掛けた動物捕獲装置の実施方法を示した平面図である。（実施例１）
【図７】土中の穴に仕掛けた動物捕獲装置の実施方法を示した平面図である。（実施例３）
【符号の説明】
【００２２】
１    筒体（円筒形又は角筒形）
２ａ，２ｂ    留め板又は広幅ベルト
３ａ，３ｂ    ボルト
４    ナット
５    穴
６    覆い薄膜シート
７    細土
８    落ち葉
９    水抜き穴
１０    箱枠又は枠体
１１ａ，１１ｂ    鉄筋の棒
１２    餌
１３    障害物
【図１】
2006211961.tif 000003
【図２】
2006211961.tif 000004
【図３】
2006211961.tif 000005
【図４】
2006211961.tif 000006
【図５】
2006211961.tif 000007
【図６】
2006211961.tif 000008
【図７】
2006211961.tif 000009